(57)【要約】      （修正有）【課題】腕の様々な筋肉を鍛えるトレーニングマシーンとして用い、また、腹筋を鍛えるローラマシーンとして用いることができる多機能腕鍛錬装置を提供する。【解決手段】多機能腕鍛錬装置は、中心軸棒１０及び２つのグリップ２０，３０を備える。中心軸棒１０は、内管１１、外管１２及び弾性体１３を有する。内管１１の一端には、ソケット１２２が設けられる。ソケット１２２の外縁には、嵌合溝１２２１が形成される。嵌合溝１２２１の中心部には、挿入ピン１２３が突設される。挿入ピン１２３の内部には、金属杆１２４が設けられる。金属杆１２４は、内管１１の内部に至るまで延伸される。金属杆１２４の中央部には、弾性体係止孔１１３１が形成される。弾性体１３は、金属杆１２４上に嵌合される。弾性体１３の一端に設けられた横杆１３１，１３２は、金属杆１１３，１２４の弾性体係止孔１１３１に嵌入される。【選択図】図２
0003198399.tif 000002
【実用新案登録請求の範囲】
【請求項１】
中心軸棒及び２つのグリップを備えた多機能腕鍛錬装置であって、
前記中心軸棒は、内管、外管及び弾性体を有し、前記内管の一端には、ソケットが設けられ、前記ソケットの外縁には、嵌合溝が形成され、前記嵌合溝の中心部には、挿入ピンが突設され、前記挿入ピンの内部には、金属杆が設けられ、前記金属杆は、前記内管の内部に至るまで延伸され、前記金属杆の中央部には、弾性体係止孔が形成され、前記弾性体は、前記金属杆上に嵌合され、前記弾性体の一端に設けられた横杆は、前記金属杆の前記弾性体係止孔に嵌入され、前記内管の前記ソケットの内縁には、環状溝が形成され、前記環状溝の中央部には、リング孔が形成され、前記外管の一端に設けられた接続管上には、係合環が形成され、前記内管に前記外管が外嵌されると、前記リング孔に前記係合環が係合され、前記外管の他端には前記ソケットが設けられ、前記ソケットの外縁には、嵌合溝が形成され、前記嵌合溝の中心部には、前記挿入ピンが突設され、前記挿入ピンの内部には、金属杆が設けられ、前記金属杆は、前記外管の内部に至るまで延伸され、前記金属杆の一端には、前記弾性体の他端に設けられた前記横杆が嵌入される前記弾性体係止孔が形成され、
前記グリップは、前記中心軸棒の両端に枢着され、前記グリップの内部には、前記嵌合溝が形成され、前記嵌合溝の側部には、内スリーブが設けられ、前記内スリーブは、前記中心軸棒の前記ソケット上にそれぞれ嵌合され、前記グリップの中心部に形成された穿孔には、前記中心軸棒の前記挿入ピンがそれぞれ挿設され、グリップフレームは、前記嵌合溝内に係合されて位置決めされる係合ピンを有し、他端に挿入ブロックが設けられ、前記挿入ブロックは、外側に円状溝が形成され、内縁に係合孔が形成され、前記係合孔の中心部には、中心孔が形成され、
両手で前記グリップを握って捻り、腕の筋肉を鍛えることを特徴とする多機能腕鍛錬装置。
【請求項２】
前記グリップフレームの前記円状溝内には、２つの回転ホイールの円状管が嵌着され、
前記回転ホイールそれぞれの一端に設けられた中心軸の外側には、円形鋸歯状の係合ブロックが設けられ、
前記係合ブロックの外側には、円状管が設けられ、
前記中心軸は、前記ばねに嵌合されるとともに前記係合孔に至るまで延伸し、
前記中心軸の前端に設けられた軸ブロックは、前記グリップフレームの前記中心孔に係合され、
前記係合ブロックは、前記グリップフレームの前記係合孔に係合されることを特徴とする請求項１に記載の多機能腕鍛錬装置。
【請求項３】
前記中心軸棒内、前記外管の前記ソケットの外縁に形成された嵌合溝は歯車状であることを特徴とする請求項１に記載の多機能腕鍛錬装置。
【請求項４】
前記中心軸棒の内部に設けられた弾性体は、日の字型トーションバネ又はトーション弾性片であることを特徴とする請求項１に記載の多機能腕鍛錬装置。
【請求項５】
前記２つのグリップ内部に凹設された嵌合溝は歯車状であることを特徴とする請求項１に記載の多機能腕鍛錬装置。
【請求項６】
前記グリップフレームの一端に設けた前記挿入ブロックの内縁に形成した前記係合孔は円形鋸歯状であることを特徴とする請求項１に記載の多機能腕鍛錬装置。
【請求項７】
前記２つのグリップに回転ホイールが接続されていないとき、円状蓋が嵌入されると、前記円状蓋の蓋縁が前記グリップ内部の前記グリップフレームの前記円状溝内に嵌入されて位置決めされることを特徴とする請求項１に記載の多機能腕鍛錬装置。
【考案の詳細な説明】
【技術分野】
【０００１】
本考案は、多機能腕鍛錬装置に関するものであり、さらに詳しくは、腕の様々な筋肉を鍛えるトレーニングマシーンとして用いることができることに加え、腹筋を鍛えるローラマシーンとして用いることができる多機能腕鍛錬装置に関するものである。
【背景技術】
【０００２】
従来、市販されている腕訓練装置は、弾性を有する棒状材料からなるものであり、トレーニングを行う者は、両手で力を加えて腕訓練装置を内向きへ曲げてＵ字状にしても、力が加えられなくなると直線状に回復するため、トレーニングを行う者はこのような動作を繰り返し行うことにより腕を鍛えることができる。さらに、外観が三角状の腕力訓練装置（即ち握力装置）もあるが、この装置を使用すると、トレーニングを行う者は片手で握力装置を握ったり放したりして腕を鍛えることができる。しかし、上述した訓練装置は１つの機能しか備えておらず、様々な腕の筋肉、腹筋などを効果的に訓練することができず、改善が求められていた。
【考案の概要】
【考案が解決しようとする課題】
【０００３】
従って、本考案の課題は、棒状材料の上下部分を握って捻ることができる上、棒状材料の側部に設けられたローラを握って側部を捻って腕を鍛えることもできる腕の捻り訓練装置として用いる、多機能腕鍛錬装置を提供することにある。
【０００４】
本考案のもう一つの課題は、棒状材料の側部に設けられたホイールを、腹筋を鍛えるローラとして用いる、多機能腕鍛錬装置を提供することにある。
【課題を解決するための手段】
【０００５】
そこで、本考案者は、前記の本考案の課題を解決するため鋭意検討を重ねたところ、後述するように、中心軸棒、グリップ及び回転ホイールからなる構成要素とこれらの組合せ及び棒体の内部に弾性体を設けることにより、多機能性を実現できる点に着目し、かかる知見に基いて本考案に想到するに至った。
【０００６】
かくして、請求項１に係る考案によれば、
中心軸棒及び２つのグリップを備えた多機能腕鍛錬装置であって、
前記中心軸棒は、内管、外管及び弾性体を有し、前記内管の一端には、ソケットが設けられ、前記ソケットの外縁には、嵌合溝が形成され、前記嵌合溝の中心部には、挿入ピンが突設され、前記挿入ピンの内部には、金属杆が設けられ、前記金属杆は、前記内管の内部に至るまで延伸され、前記金属杆の中央部には、弾性体係止孔が形成され、前記弾性体は、前記金属杆上に嵌合され、前記弾性体の一端に設けられた横杆は、前記金属杆の前記弾性体係止孔に嵌入され、前記内管の前記ソケットの内縁には、環状溝が形成され、前記環状溝の中央部には、リング孔が形成され、前記外管の一端に設けられた接続管上には、係合環が形成され、前記内管に前記外管が外嵌されると、前記リング孔に前記係合環が係合され、前記外管の他端には前記ソケットが設けられ、前記ソケットの外縁には、嵌合溝が形成され、前記嵌合溝の中心部には、前記挿入ピンが突設され、前記挿入ピンの内部には、金属杆が設けられ、前記金属杆は、前記外管の内部に至るまで延伸され、前記金属杆の一端には、前記弾性体の他端に設けられた前記横杆が嵌入される前記弾性体係止孔が形成され、
前記グリップは、前記中心軸棒の両端に枢着され、前記グリップの内部には、前記嵌合溝が形成され、前記嵌合溝の側部には、内スリーブが設けられ、前記内スリーブは、前記中心軸棒の前記ソケット上にそれぞれ嵌合され、前記グリップの中心部に形成された穿孔には、前記中心軸棒の前記挿入ピンがそれぞれ挿設され、グリップフレームは、前記嵌合溝内に係合されて位置決めされる係合ピンを有し、他端に挿入ブロックが設けられ、前記挿入ブロックは、外側に円状溝が形成され、内縁に係合孔が形成され、前記係合孔の中心部には、中心孔が形成され、
両手で前記グリップを握って捻り、腕の筋肉を鍛えることを特徴とする多機能腕鍛錬装置が提供される。
【０００７】
請求項２に係る考案によれば、
前記グリップフレームの前記円状溝内には、２つの回転ホイールの円状管が嵌着され、
前記回転ホイールそれぞれの一端に設けられた中心軸の外側には、円形鋸歯状の係合ブロックが設けられ、
前記係合ブロックの外側には、円状管が設けられ、
前記中心軸は、前記ばねに嵌合されるとともに前記係合孔に至るまで延伸し、
前記中心軸の前端に設けられた軸ブロックは、前記グリップフレームの前記中心孔に係合され、
前記係合ブロックは、前記グリップフレームの前記係合孔に係合されることを特徴とする請求項１に記載の多機能腕鍛錬装置が提供される。
【０００８】
請求項３に係る考案によれば、
前記中心軸棒内、前記外管の前記ソケットの外縁に形成された嵌合溝は歯車状であることを特徴とする請求項１に記載の多機能腕鍛錬装置が提供される。
【０００９】
請求項４に係る考案によれば、
前記中心軸棒の内部に設けられた弾性体は、日の字型トーションバネ又はトーション弾性片であることを特徴とする請求項１に記載の多機能腕鍛錬装置が提供される。
【００１０】
請求項５に係る考案によれば、
前記２つのグリップ内部に凹設された嵌合溝は歯車状であることを特徴とする請求項１に記載の多機能腕鍛錬装置が提供される。
【００１１】
請求項６に係る考案によれば、
前記グリップフレームの一端に設けた前記挿入ブロックの内縁に形成した前記係合孔は円形鋸歯状であることを特徴とする請求項１に記載の多機能腕鍛錬装置が提供される。
【００１２】
請求項７に係る考案によれば、
前記２つのグリップに回転ホイールが接続されていないとき、円状蓋が嵌入されると、前記円状蓋の蓋縁が前記グリップ内部の前記グリップフレームの前記円状溝内に嵌入されて位置決めされることを特徴とする請求項１に記載の多機能腕鍛錬装置が提供される。
【考案の効果】
【００１３】
本考案は、前記の通りの構成からなるものであり、棒体の内部に弾性体を設けてあるので、利用者が両手でそれぞれ逆方向へ捻るか横方向へ棒体に力を加えると、捻りに抗する力が弾性体に生じるため腕の筋肉を鍛えることができ、棒体にホイールを取り付けて腹筋を鍛えることができるものであるなど、多機能装置を提供することができる。
【図面の簡単な説明】
【００１４】
【図１】図１は、本考案の一実施形態に係る多機能腕鍛錬装置を示す斜視図である。
【図２】図２は、本考案の一実施形態に係る多機能腕鍛錬装置を示す分解斜視図である。
【図３】図３は、本考案の一実施形態に係る多機能腕鍛錬装置のホイールが空転しているときの状態を示す断面図である。
【図３−１】図３−１は、本考案の一実施形態に係る多機能腕鍛錬装置のホイールが空転していないときの状態を示す断面図である。
【図４】図４は、本考案の一実施形態に係る多機能腕鍛錬装置を示す分解斜視図である。
【図５】図５は、本考案の一実施形態に係る多機能腕鍛錬装置の構造を示す分解斜視図である。
【図６】図６は、本考案の一実施形態に係る多機能腕鍛錬装置の第１使用状態の説明図である。
【図７】図７は、本考案の一実施形態に係る多機能腕鍛錬装置の第２使用状態の説明図である。
【図８】図８は、本考案の一実施形態に係る多機能腕鍛錬装置の第３使用状態の説明図である。
【考案を実施するための形態】
【００１５】
図１を参照する。図１に示すように、本考案の一実施形態に係る多機能腕鍛錬装置は、少なくとも中心軸棒１０、グリップ２０，３０及び回転ホイール４０，５０から構成されてなる。
【００１６】
図２及び図３を参照する。図２及び図３に示すように、中心軸棒１０は、内管１１、外管１２及び弾性体１３を含む。内管１１の一端には、ソケット１１１が設けられている。ソケット１１１の外縁には、歯車状の嵌合溝１１１１が形成されている。嵌合溝１１１１の中心部には、挿入ピン１１２が突設されている。挿入ピン１１２の内部には、金属杆１１３が設けられている。金属杆１１３は、内管１１の内部に至るまで延伸されている。金属杆１１３の中央部には、弾性体係止孔１１３１が形成されている。弾性体１３は、金属杆１１３上に嵌合された日の字型トーションバネである。弾性体１３の一端に設けられた横杆１３１は、金属杆１１３の弾性体係止孔１１３１内に嵌入される。図３に示すように、内管１１のソケット１１１の内縁には、環状溝１１１２が形成されている。環状溝１１１２の中央部には、リング孔１１１３が形成されている。外管１２の一端に設けられた接続管１２１上には、係合環１２１１が設けられている。外管１２が内管１１に外嵌されると、その一端の接続管１２１が内管１１のソケット１１１の環状溝１１１２内に挿入される。係合環１２１１は、リング孔１１１３内に係合され、外管１２の他端にはソケット１２２が設けられている。ソケット１２２の外縁には、歯車状の嵌合溝１２２１が形成されている。嵌合溝１２２１の中心部には、挿入ピン１２３が突設されている。挿入ピン１２３の内部には、金属杆１２４が設けられている。金属杆１２４は、外管１２の内部に至るまで延伸されている。金属杆１２４の中央部には、弾性体係止孔１２４１が形成されている。弾性体係止孔１２４１には、弾性体１３の他端に設けられた横杆１３２が嵌着されている（図３を参照する）。
【００１７】
また、グリップ２０，３０は、柔軟性材料からなり、中心軸棒１０の両端に枢着されている。グリップ２０，３０の内部には、歯車状の嵌合溝２１，３１が形成されている。嵌合溝２１，３１の側部には、内スリーブ２１１，３１１が設けられている。内スリーブ２１１，３１１は、中心軸棒１０のソケット１１１，１２２上にそれぞれ嵌合されている。グリップ２０，３０の中心部に形成された穿孔２１２，３１２には、中心軸棒１０の挿入ピン１１２，１２３がそれぞれ挿設される。グリップフレーム２２，３２は、一端に設けられた歯車状の係合ピン２２１，３２１が嵌合溝２１，３１内に係合されて位置決めされ、他端に円形状の挿入ブロック２２２，３２２が設けられている（図３を参照する）。挿入ブロック２２２，３２２の外側には、円状溝２２３，３２３が形成され、挿入ブロック２２２，３２２の内縁には、円形鋸歯状の係合孔２２２１，３２２１が形成され、係合孔２２２１，３２２１の中心部には、中心孔２２２２，３２２２が形成されている。
【００１８】
回転ホイール４０，５０は、グリップ２０，３０の側部に接続され、一端の中心軸４１，５１の外側には、円形鋸歯状の係合ブロック４２，５２が形成されている。係合ブロック４２，５２の外側には、円状管４３，５３が設けられ、実際に組み立てる際、グリップフレーム２２，３２の円状溝２２３内に円状管４３，５３を嵌入し、中心軸４１，５１には、ばね４４，５４が嵌合されて係合孔２２２１，３２２１内に至るまで延伸されると、中心軸４１，５１の前端において、可撓性の軸ブロック４１１，５１１がグリップフレーム２２，３２の中心孔２２２２，３２２２内に係合されて位置決めされ、鋸歯状の係合ブロック４２，５２がグリップフレーム２２，３２の鋸歯状の係合孔２２２１，３２２１に係合される（図３−１を参照する）。
【００１９】
図４を参照する。図４に示すように、本実施形態の中心軸棒１０の内部に設けられた弾性体１３は、図２の日の字型トーションバネであり、弾性体１３’は、トーション弾性片（又はフイルム）である。
【００２０】
図５を参照する。図５に示すように、本実施形態のグリップ２０，３０内部に設けられたグリップフレーム２２，３２の側部に形成された円状溝２２３内に、回転ホイール４０，５０が接続されないとき、円状蓋２３の蓋縁２３１が嵌入されて棒状体に形成されているため、グリップ２０，３０の両側に回転ホイール４０，５０を接続してもよいし、円状蓋２３を取り外して重い物体を取付け、ダンベル又はその他の機能を有する器材として用いてもよい。
【００２１】
また、本考案の多用途の使用状態は、以下のように様々な種類がある。
【００２２】
図６を参照する。図６に示すように、両手でグリップ２０，３０を握り、互いに反対方向へ捩じると腕の筋肉を鍛えることができる。
【００２３】
図７を参照する。図７に示すように、グリップフレーム２２，３２の係合孔２２２１，３２２１に、回転ホイール４０，５０の係合ブロック４２，５２を係合し（図３−１を参照する）、両手で回転ホイール４０，５０を握って横方向へ力を加えると腕の筋肉を鍛えることができる。
【００２４】
図８を参照する。図８に示すように、グリップフレーム２２，３２の係合孔２２２１，３２２１と回転ホイール４０，５０の係合ブロック４２，５２とを分離させると（図３を参照する）、回転ホイール４０，５０が空転し、腹筋を鍛えるローラ器材として用いることができる。
【００２５】
上述したことから分かるように、本考案の多機能腕鍛錬装置は、棒体の内部に弾性体を設け、利用者が両手で逆方向へ捻るか横方向へ棒体に力を加えると、捻りに抗する力が弾性体に生じるため、腕の筋肉を鍛えることができる上、棒状材料にホイール、ダンベルなどを取付けて腹筋又は腕の筋肉を鍛えることもできる。
【符号の説明】
【００２６】
１０  中心軸棒
１１  内管
１２  外管
１３  弾性体
１３’  弾性体
２０  グリップ
２１  嵌合溝
２２  グリップフレーム
２３  円状蓋
３０  グリップ
３１  嵌合溝
３２  グリップフレーム
４０  回転ホイール
４１  中心軸
４２  係合ブロック
４３  円状管
４４  ばね
５０  回転ホイール
５１  中心軸
５２  係合ブロック
５３  円状管
５４  ばね
１１１  ソケット
１１２  挿入ピン
１１３  金属杆
１２１  接続管
１２２  ソケット
１２３  挿入ピン
１２４  金属杆
１３１  横杆
１３２  横杆
２１１  内スリーブ
２１２  穿孔
２２１  係合ピン
２２２  挿入ブロック
２２３  円状溝
２３１  蓋縁
３１１  内スリーブ
３１２  穿孔
３２１  係合ピン
３２２  挿入ブロック
３２３  円状溝
４１１  軸ブロック
５１１  軸ブロック
１１１１  嵌合溝
１１１２  環状溝
１１１３  リング孔
１１３１  弾性体係止孔
１２１１  係合環
１２２１  嵌合溝
１２４１  弾性体係止孔
２２２１  係合孔
２２２２  中心孔
３２２１  係合孔
３２２２  中心孔
【図１】
0003198399.tif 000003
【図２】
0003198399.tif 000004
【図３】
0003198399.tif 000005
【図３−１】
0003198399.tif 000006
【図４】
0003198399.tif 000007
【図５】
0003198399.tif 000008
【図６】
0003198399.tif 000009
【図７】
0003198399.tif 000010
【図８】
0003198399.tif 000011